(57)【要約】【課題】車両又は人等の移動体に対して有用な情報を配信することができる情報配信システム及び情報受信装置を提供する。【解決手段】店舗５に設置された情報配信装置７は、周期的に店舗確認情報を無線信号として送信している。車両１に搭載された情報受信装置３は、受信した店舗確認情報の無線信号の電波強度が増加し、且つ、電波強度が閾値を超える場合に、ＩＤなどを情報配信装置７へ送信し、情報配信装置７からの情報の受信を開始する。情報配信装置７は、情報受信装置３からＩＤなどを受信した場合、設定及び履歴等に基づいて情報を選別し、選別した情報を情報受信装置３へ送信する。情報配信装置７からの情報を受信した情報受信装置３は、表示装置などに受信した情報を表示する。【選択図】図１
2016025448.tif 000002
【特許請求の範囲】
【請求項１】
無線信号を送信することにより情報を配信する情報配信装置と、
移動体に設けられ、
無線信号の送受信により前記情報配信装置との通信を行う通信部、
該通信部による無線信号の受信強度を検出する検出部、
前記検出部が時系列的に検出した受信強度に基づき、該受信強度の変化を算出する算出部、及び、
前記算出部の算出結果に基づいて前記受信強度が増したと判定した場合に、前記情報配信装置が配信する情報の受信処理を開始する処理部
を有する情報受信装置と
を備えることを特徴とする情報配信システム。
【請求項２】
前記処理部は、無線信号の受信強度が増し、且つ、該受信強度が閾値を超えた場合に、前記情報配信装置が配信する情報の受信処理を開始するようにしてあること
を特徴とする請求項１に記載の情報配信システム。
【請求項３】
前記情報受信装置は、前記情報配信装置が配信する情報の種別に応じて、該情報の受信を制限する制限手段を有すること
を特徴とする請求項１又は請求項２に記載の情報配信システム。
【請求項４】
前記情報受信装置は、前記制限手段により受信を制限する情報の種別に係る設定を受け付ける受信制限設定受付手段を有すること
を特徴とする請求項３に記載の情報配信システム。
【請求項５】
前記情報受信装置は、
前記情報配信装置から受信すべき情報の種別に係る設定を受け付ける受信情報設定受付手段と、
前記受信情報設定受付手段が受け付けた設定を前記通信部にて前記情報配信装置へ送信する設定送信手段と
を有し、
前記情報配信装置は、
前記情報受信装置から送信された前記設定を受信する設定受信手段と、
前記設定受信手段が受信した設定に応じて、前記情報受信装置へ配信する情報を選別する情報選別手段と
を有すること
を特徴とする請求項１又は請求項２に記載の情報配信システム。
【請求項６】
前記情報配信装置は、
前記情報受信装置へ配信した情報の履歴を記憶する履歴記憶部と、
前記履歴記憶部に記憶した履歴に基づき、前記情報受信装置へ配信する情報を選別する情報選別手段と
を有すること
を特徴とする請求項１乃至請求項５のいずれか１つに記載の情報配信システム。
【請求項７】
前記情報受信装置は、
前記情報配信装置から受信した情報を記憶する情報記憶部と、
前記情報記憶部に記憶された情報を表示部に表示する処理を行う表示処理手段と
を有すること
を特徴とする請求項１乃至請求項６のいずれか１つに記載の情報配信システム。
【請求項８】
前記情報受信装置は、前記情報記憶部に記憶された情報を、該情報の受信から所定時間経過後に削除する削除手段を有すること
を特徴とする請求項７に記載の情報配信システム。
【請求項９】
前記削除手段による削除の対象外とする情報に係る設定を受け付ける削除禁止設定受付手段を有すること
を特徴とする請求項８に記載の情報配信システム。
【請求項１０】
前記情報受信装置が前記情報配信装置から受信した情報に基づき、該情報に関連する場所への経路案内を行う手段を備えること
を特徴とする請求項１乃至請求項９のいずれか１つに記載の情報配信システム。
【請求項１１】
前記情報受信装置が前記情報配信装置から受信した情報に基づき、該情報に関連する相手への電話発信を行う手段を備えること
を特徴とする請求項１乃至請求項１０のいずれか１つに記載の情報配信システム。
【請求項１２】
前記情報受信装置が前記情報配信装置から受信した情報に基づき、該情報に含まれる一又は複数の情報を対象としたインターネットによる検索を行う手段を備えること
を特徴とする請求項１乃至請求項１１のいずれか１つに記載の情報配信システム。
【請求項１３】
前記情報配信装置は、店舗に設置され、
前記情報受信装置は、車両に搭載されること
を特徴とする請求項１乃至請求項１２のいずれか１つに記載の情報配信システム。
【請求項１４】
移動体に設けられ、
無線信号の送受信により他の装置との通信を行う通信部と、
前記通信部による無線信号の受信強度を検出する検出部と、
前記検出部が時系列的に検出した受信強度に基づき、該受信強度の変化を算出する算出部と、
前記算出部の算出結果に基づいて前記受信強度が増したと判定した場合に、前記情報配信装置が配信する情報の受信処理を開始する処理部
を備えることを特徴とする情報受信装置。
【発明の詳細な説明】
【技術分野】
【０００１】
本発明は、例えば店舗などに設置された情報配信装置から車両などに搭載された情報受信装置へ広告などの情報を配信する情報配信システム、及び、このシステムにて用いられる情報受信装置に関する。
【背景技術】
【０００２】
特許文献１においては、所定エリア内から位置情報を送信した車両の台数をカウントして、カウントした車両台数と広告に設定された配信条件とを比較し、配信条件が成立する広告が存在する場合に、この広告をデータベースから抽出して車両のナビゲーション装置へ送信するコンテンツ広告配信システムが提案されている。このコンテンツ広告配信システムは、所定時間内に車両が集中している場合にのみ広告を配信することができる。
【先行技術文献】
【特許文献】
【０００３】
【特許文献１】特開２００５−１６４９９５号公報
【発明の概要】
【発明が解決しようとする課題】
【０００４】
特許文献１に記載のコンテンツ広告配信システムでは、所定エリア内の車両台数に応じて広告を配信するのみであり、必ずしもこの広告を必要とする車両に対して広告が配信されるとは限らない。例えば、広告の配信元の店舗などから遠ざかる車両であっても、この車両が所定エリア内に存在していれば広告が配信されるが、店舗から遠ざかる車両にとってこの店舗に関する情報は不要である可能性が高い。
【０００５】
本発明は、斯かる事情に鑑みてなされたものであって、その目的とするところは、車両又は人等の移動する対象に対して、より有用な情報を受信させることができる情報配信システム及び情報受信装置を提供することにある。
【課題を解決するための手段】
【０００６】
本発明に係る情報配信システムは、無線信号を送信することにより情報を配信する情報配信装置と、移動体に設けられ、無線信号の送受信により前記情報配信装置との通信を行う通信部、該通信部による無線信号の受信強度を検出する検出部、前記検出部が時系列的に検出した受信強度に基づき、該受信強度の変化を算出する算出部、及び、前記算出部の算出結果に基づいて前記受信強度が増したと判定した場合に、前記情報配信装置が配信する情報の受信処理を開始する処理部を有する情報受信装置とを備えることを特徴とする。
【０００７】
また、本発明に係る情報配信システムは、前記処理部が、無線信号の受信強度が増し、且つ、該受信強度が閾値を超えた場合に、前記情報配信装置が配信する情報の受信処理を開始するようにしてあることを特徴とする。
【０００８】
また、本発明に係る情報配信システムは、前記情報受信装置が、前記情報配信装置が配信する情報の種別に応じて、該情報の受信を制限する制限手段を有することを特徴とする。
【０００９】
また、本発明に係る情報配信システムは、前記情報受信装置が、前記制限手段により受信を制限する情報の種別に係る設定を受け付ける受信制限設定受付手段を有することを特徴とする。
【００１０】
また、本発明に係る情報配信システムは、前記情報受信装置が、前記情報配信装置から受信すべき情報の種別に係る設定を受け付ける受信情報設定受付手段と、前記受信情報設定受付手段が受け付けた設定を前記通信部にて前記情報配信装置へ送信する設定送信手段とを有し、前記情報配信装置は、前記情報受信装置から送信された前記設定を受信する設定受信手段と、前記設定受信手段が受信した設定に応じて、前記情報受信装置へ配信する情報を選別する情報選別手段とを有することを特徴とする。
【００１１】
また、本発明に係る情報配信システムは、前記情報配信装置は、前記情報受信装置へ配信した情報の履歴を記憶する履歴記憶部と、前記履歴記憶部に記憶した履歴に基づき、前記情報受信装置へ配信する情報を選別する情報選別手段とを有することを特徴とする。
【００１２】
また、本発明に係る情報配信システムは、前記情報受信装置は、前記情報配信装置から受信した情報を記憶する情報記憶部と、前記情報記憶部に記憶された情報を表示部に表示する処理を行う表示処理手段とを有することを特徴とする。
【００１３】
また、本発明に係る情報配信システムは、前記情報受信装置が、前記情報記憶部に記憶された情報を、該情報の受信から所定時間経過後に削除する削除手段を有することを特徴とする。
【００１４】
また、本発明に係る情報配信システムは、前記削除手段による削除の対象外とする情報に係る設定を受け付ける削除禁止設定受付手段を有することを特徴とする。
【００１５】
また、本発明に係る情報配信システムは、前記情報受信装置が前記情報配信装置から受信した情報に基づき、該情報に関連する場所への経路案内を行う手段を備えることを特徴とする。
【００１６】
また、本発明に係る情報配信システムは、前記情報受信装置が前記情報配信装置から受信した情報に基づき、該情報に関連する相手への電話発信を行う手段を備えることを特徴とする。
【００１７】
また、本発明に係る情報配信システムは、前記情報受信装置が前記情報配信装置から受信した情報に基づき、該情報に含まれる一又は複数の情報を対象としたインターネットによる検索を行う手段を備えることを特徴とする。
【００１８】
また、本発明に係る情報配信システムは、前記情報配信装置が、店舗に設置され、前記情報受信装置は、車両に搭載されることを特徴とする。
【００１９】
また、本発明に係る情報受信装置は、移動体に設けられ、無線信号の送受信により他の装置との通信を行う通信部と、前記通信部による無線信号の受信強度を検出する検出部と、前記検出部が時系列的に検出した受信強度に基づき、該受信強度の変化を算出する算出部と、前記算出部の算出結果に基づいて前記受信強度が増したと判定した場合に、前記情報配信装置が配信する情報の受信処理を開始する処理部を備えることを特徴とする。
【００２０】
本発明においては、移動体に設けられた情報受信装置が、情報配信装置からの無線信号の受信強度を検出し、受信強度が増した場合に情報配信装置が配信する情報の受信処理を開始する。情報配信装置からの受信強度が増す場合、情報受信装置を有する移動体が情報配信装置に対して近づくように移動している可能性が高い。受信強度が増した場合に情報の受信を開始することで、情報受信装置は、移動体が近づいている情報配信装置からの情報の受信を優先して行うことが可能となる。
例えば情報受信装置を車両に搭載し、情報配信装置を店舗に設置することができる。情報配信装置は、設置された店舗に関する広告などの情報を配信することができる。この場合、車両の情報受信装置は、車両の進行方向に存在する店舗に設置された情報配信装置から情報を受信することができる。店舗の情報配信装置は、店舗に近づいてくる車両に対して情報を配信することができる。
【００２１】
また本発明においては、無線信号の受信強度が増し、且つ、受信強度が閾値を超えた場合に、情報受信装置が情報配信装置からの情報を受信する。情報受信装置が受信する無線信号の受信強度は、情報配信装置からの距離に影響される。よって、受信強度が閾値を超えることを条件に加えることによって、情報配信装置から所定距離の範囲内に存在し、且つ、情報配信装置へ近づく情報受信装置に対して情報を配信することができる。
【００２２】
また本発明においては、情報配信装置が配信する情報の種別に応じて、情報受信装置が情報の受信を制限する。例えば受信制限の対象とする情報の種別に係る設定をユーザから予め受け付けておき、この設定に応じて情報受信装置が制限を行う構成とすることができる。これにより、ユーザにとって不要な情報などを情報受信装置が受信することを防止できる。
【００２３】
また本発明においては、情報配信装置から受信すべき情報の種別に係る設定をユーザから予め受け付け、情報受信装置から情報配信装置へ設定を送信する。情報配信装置は、受信した設定に応じて配信する情報を選別する。これにより情報配信装置は、ユーザが必要とする情報を配信することができる。
【００２４】
また本発明においては、情報配信装置が情報受信装置へ送信した情報の履歴を記憶しておく。情報配信装置は、記憶した履歴に基づいて配信する情報を選別する。これにより、例えば以前に配信した情報を再配信することを防止するなど、同一の情報を複数回にわたって重複配信することを防止できる。
【００２５】
また本発明においては、情報配信装置から受信した情報を情報受信装置が記憶しておき、記憶した情報を表示部に表示する。これにより、例えば移動体の移動中のみでなく、移動を終えた後に、ユーザは受信した情報を確認することができる。
なお情報受信装置は、記憶した情報を、受信から所定時間経過後に削除してよい。これにより情報受信装置が必要とする記憶部の記憶容量を削減でき、鮮度の低い情報を長期間にわたって記憶しておくことを防止できる。ただし情報受信装置は、削除の対象外とする情報の設定をユーザから受け付けることが可能な構成としてもよい。これにより、ユーザが必要とする情報を長期間にわたって保存しておくことが可能となる。
【００２６】
また本発明においては、例えばナビゲーション装置などを利用することにより、情報配信装置から受信した情報に基づく経路案内を行う。例えば情報配信装置が配信する情報に店舗の位置情報などを付加し、情報受信装置が受信した情報から位置情報を取得してナビゲーション装置の目的地として設定することにより、ナビゲーション装置にて店舗までの経路案内を行うことができる。なお、ナビゲーション装置に情報受信装置の機能を備える構成としてもよい。
また本発明においては、例えば電話機などを利用することにより、情報配信装置から受信した情報に基づく電話発信を行う。例えば情報配信装置が配信する情報に店舗の電話番号情報などを付加し、情報受信装置が受信した情報から電話番号情報を取得して電話機により電話発信を行うことができる。なお、携帯電話機又はスマートフォン等に情報受信装置の機能を備える構成としてもよい。
また本発明においては、例えば情報配信装置が配信する情報に店舗などの名称、ＵＲＬ又はメールアドレス等を付加しておき、情報受信装置は受信した情報からこれらの情報を取得してインターネットによる検索を行い、検索結果を表示する。なお、インターネットを利用可能なノートパソコン又はスマートフォン等に情報受信装置の機能を備える構成としてもよい。
情報配信装置が配信する情報を経路案内、電話発信又はインターネット検索等に利用することを可能とすることにより、情報配信システムの利便性を更に向上することができる。
【発明の効果】
【００２７】
本発明による場合は、情報配信装置に対して近づく移動体に設けられた情報受信装置が情報を受信する構成であるため、情報受信装置はより有用な情報を受信することができる。
【図面の簡単な説明】
【００２８】
【図１】本実施の形態に係る情報配信システムの概要を説明するための模式図である。
【図２】情報受信装置の構成を示すブロック図である。
【図３】情報配信装置の構成を示すブロック図である。
【図４】情報受信装置が行う情報受信処理の手順を示すフローチャートである。
【図５】情報受信装置が行う情報受信処理の手順を示すフローチャートである。
【図６】情報配信装置が行う情報配信処理の手順を示すフローチャートである。
【図７】ナビゲーション装置が行う処理の手順を示すフローチャートである。
【図８】実施の形態２に係るスマートフォンの構成を示すブロック図である。
【発明を実施するための形態】
【００２９】
（実施の形態１）
＜システム構成＞
図１は、本実施の形態に係る情報配信システムの概要を説明するための模式図である。本実施の形態に係る情報配信システムは、車両１に搭載された情報受信装置３と、店舗５に設置された情報配信装置７とを備える。本実施の形態において車両１は複数存在してよく、情報受信装置３は各車両１に１つずつ設けられている。本実施の形態に係る情報配信システムは、情報配信装置７が店舗５の広告などの情報を各車両１の情報受信装置３へ送信する。情報受信装置３は、情報配信装置７からの情報を受信し、例えば車内に設けられたディスプレイなどに広告を表示するなどの処理を行う。
【００３０】
図２は、情報受信装置３の構成を示すブロック図である。本実施の形態に係る情報受信装置３は、処理部３０、無線通信部３１、記憶部３２及び車内通信部３３等を備えて構成されている。処理部３０は、ＣＰＵ（Central Processing Unit）又はＭＰＵ（Micro-Processing Unit）等の演算処理装置を用いて構成されている。処理部３０は、記憶部３２又はＲＯＭ（Read Only Memory）等に記憶されたプログラムを読み出して実行することにより、車両１の内外に存在する他の装置との間で通信を行うために必要な種々の演算処理及び制御処理等を行う。
【００３１】
無線通信部３１は、車両１の適所に設置されたアンテナ３１ａを利用して、車外の情報配信装置７との間で無線信号を送受信することにより、情報の送受信を行う。無線通信部３１は、処理部３０からデジタルデータとして与えられた送信情報を変調した無線信号をアンテナ３１ａから情報配信装置７へ送信する。無線通信部３１は、アンテナ３１ａにて受信した無線信号を復調したデジタルデータを受信情報として処理部３０へ与える。また無線通信部３１は、アンテナ３１ａにて受信する情報配信装置７からの無線信号の電波強度を検出する電波強度検出部３１ｂを有している。電波強度検出部３１ｂは、周期的に電波強度の検出を行い、検出した電波強度を処理部３０へ通知する。
【００３２】
記憶部３２は、フラッシュメモリ又はハードディスクドライブ等の記憶装置を用いて構成されている。記憶部３２は、処理部３０の処理に必要なプログラム及びデータ等を記憶している。また本実施の形態において記憶部３２には、ユーザ情報記憶部３２ａ、受信情報記憶部３２ｂ及び設定情報記憶部３２ｃが設けられている。ユーザ情報記憶部３２ａは、情報受信装置３を使用するユーザに対して与えられたユーザＩＤ又は車両１に対して与えられた車両ＩＤ等の識別情報などを記憶している。受信情報記憶部３２ｂは、情報配信装置７から受信した情報を一時的に記憶している。設定情報記憶部３２ｃは、情報配信装置７から受信する情報に関してユーザが設定した情報を記憶している。
【００３３】
車内通信部３３は、車両１内に設けられた他の装置との間で、有線又は無線の通信を行う。車内通信部３３は、例えばＣＡＮ（Controller Area Network）の規格に従って、車両１内に敷設されたバスを介して他の装置との通信を行うことができる。本実施の形態において車内通信部３３は、車両１に搭載されたナビゲーション装置４１との間で通信を行う。
【００３４】
また本実施の形態においては、処理部３０がプログラムを実行することにより、変化算出部３０ａ、制限処理部３０ｂ、設定受付部３０ｃ及び表示処理部３０ｄ等がソフトウェア的な機能ブロックとして処理部３０に設けられる。変化算出部３０ａは、無線通信部３１が受信する情報配信装置７からの無線信号の電波強度の変化を算出する。制限処理部３０ｂは、情報配信装置７からの情報の受信に対する制限、又は、受信した情報の表示に対する制限を行う。表示処理部３０ｄは、情報配信装置７から受信した情報を表示装置４２に表示する処理を行う。
【００３５】
ナビゲーション装置４１は、ＧＰＳ（Global Positioning System）受信機及びジャイロセンサ等を有し、これらを利用して車両１の走行位置を特定する処理を行う。またナビゲーション装置４１は、地図情報などを有し、現在の走行位置から設定された目的地までの経路算出を行う。ナビゲーション装置４１は、表示装置４２が信号線を介して接続されており、表示装置４に地図画像及び走行経路等を表示して目的地までの経路案内を行う。
【００３６】
本実施の形態においては、ナビゲーション装置４１には、例えばＵＳＢ（Universal Serial Bus）等のケーブルを介してスマートフォン４３などの通信装置を接続することができる。ナビゲーション装置４１は、接続されたスマートフォン４３の通信機能を利用して、インターネットアクセス及び電話発信等を行うことができる。また情報受信装置３は、ナビゲーション装置４１に対して、スマートフォン４３を利用した通信を行う指示を与えることができる。なお、ナビゲーション装置４１は、スマートフォン４３の通信機能を利用するのではなく、携帯電話通信網又は無線ＬＡＮ（Local Area Network）等を介した通信を行う機能を自ら有している構成であってもよい。
【００３７】
本実施の形態においては、情報受信装置３が受信した情報の表示は、情報受信装置３からナビゲーション装置４１を介して表示装置４２にて行われる。情報受信装置３に係る設定をユーザから受け付けるための設定画面の表示、又は、情報受信装置３に関する警告メッセージの表示等も同様である。ただし、情報受信装置３が表示部を備える構成としてもよく、情報受信装置３がナビゲーション装置４１を介さず直接的に表示装置４２へ信号を出力して画像を表示する構成としてもよい。
【００３８】
また本実施の形態においては、情報受信装置３に係る設定の入力受付はナビゲーション装置４１にて行う。ナビゲーション装置４１は、プッシュボタン又はタッチパネル等による操作部（図示は省略する）を有しており、操作部にて受け付けたユーザの操作を必要に応じて情報受信装置３へ通知する。例えばナビゲーション装置４１は、情報受信装置３からの要求に応じて設定画面を表示装置４２に表示している際に操作部にて受け付けた操作を情報受信装置３へ通知する。
【００３９】
図３は、情報配信装置７の構成を示すブロック図である。本実施の形態に係る情報配信装置７は、処理部７０、無線通信部７１及び記憶部７２等を備えて構成されている。処理部７０は、ＣＰＵ又はＭＰＵ等の演算処理装置を用いて構成されている。処理部７０は、記憶部７２又はＲＯＭ等に記憶されたプログラムを読み出して実行することにより、一又は複数の車両１に対して情報を配信するために必要な種々の演算処理及び制御処理等を行う。
【００４０】
無線通信部７１は、店舗５の適所に設置されたアンテナ７１ａを利用して、車両１に搭載された情報配信装置３との間で無線信号を送受信することにより、情報の送受信を行う。無線通信部７１は、処理部７０からデジタルデータとして与えられた送信情報を変調した無線信号をアンテナ７１ａから条受信装置３へ送信する。無線通信部７１は、アンテナ７１ａにて受信した無線信号を復調したデジタルデータを受信情報として処理部７０へ与える。
【００４１】
記憶部７２は、フラッシュメモリ又はハードディスクドライブ等の記憶装置を用いて構成されている。記憶部７２は、処理部７０の処理に必要なプログラム及びデータ等を記憶している。また本実施の形態において記憶部７２には、配信情報記憶部７２ａ、履歴情報記憶部７２ｂ及び設定情報記憶部７２ｃが設けられている。配信情報記憶部７２ａは、車両１に対して配信すべき情報を記憶している。履歴情報記憶部７２ｂは、ユーザＩＤ又は車両ＩＤ等に対応付けて、これまでに配信した情報の履歴を記憶している。設定情報記憶部７２ｃは、ユーザＩＤ又は車両ＩＤ等に対応付けて、ユーザが配信を希望する情報の種別に関する設定を記憶している。
【００４２】
また本実施の形態においては、処理部７０がプログラムを実行することにより、配信処理部７０ａ及び情報選別部７０等がソフトウェア的な機能ブロックとして処理部７０に設けられる。配信処理部７０ａは、情報受信装置３との通信を行って、所望の情報を配信するための処理を行う。情報選別部７０ｂは、配信情報記憶部７２ａに記憶された情報から、配信する情報を選別する処理を行う。
【００４３】
＜情報配信＞
本実施の形態においては、店舗５に設置された情報配信装置７は、周期的に無線通信部７１にて所定の情報を無線信号として送信している。このときに送信する情報を、本実施の形態において店舗確認情報という。店舗確認情報には、例えば店舗５に対して付された店舗ＩＤなどの情報が含まれるが、配信情報記憶部７２ａに記憶された広告などの情報は含まれていない。情報配信装置７から送信される無線信号は、この無線信号の到達範囲内に存在する車両１に搭載された情報受信装置３にて受信される。
【００４４】
車両１の情報受信装置３は、無線通信部３１にて無線信号の受信を継続的に行っていると共に、電波強度検出部３１ｂにて受信した無線信号の電波強度の検出を行っている。情報受信装置３の処理部３０は、無線通信部３１にて店舗ＩＤなどが含まれる店舗確認情報を受信したと判断した場合、この情報を受信した際に検出された電波強度を記憶しておく。情報受信装置３は、情報配信装置７からの無線信号の受信及び電波強度の検出を繰り返し行う。処理部３０の変化算出部３０ａは、時系列的に得られる複数の電波強度の検出値に基づいて、前回の電波強度と今回の電波強度との差分を算出することにより、電波強度の変化を算出する。処理部３０は、変化算出部３０ａの算出結果に基づき、情報配信装置７から受信する無線信号の電波強度が増加しており、且つ、電波強度が所定の閾値を超えた場合に、情報配信装置７が配信する広告などの情報を受信するための通信処理を開始する。処理部３０は、記憶部３２のユーザ情報記憶部３２ａからユーザＩＤなどの情報を読み出して、無線通信部３１にて店舗５の情報配信装置７へ送信する。このときの情報受信装置３は、先に受信している店舗確認情報に含まれる店舗ＩＤなどを情報送信先と指定して情報送信を行うことにより、通信相手を特定して情報配信装置７との通信を行うことができる。
【００４５】
車両１の情報受信装置３からの情報を受信した情報配信装置７は、処理部７０の配信処理部７０ａによる配信処理が開始される。情報配信装置７は、記憶部７２の配信情報記憶部７２ａに、情報受信装置３へ配信すべき種々の情報が予め記憶されている。この情報を、本実施の形態において配信情報という。配信情報は、例えば店舗５の広告、店舗５にて販売されている商品又はサービス等に関する広告等のような広告情報とすることができる。また配信情報は、店舗５の混雑状況、又は、店舗５の駐車場の混雑状況等のように、リアルタイムに変化する情報としてもよい。配信情報は、例えば店舗５の管理者などにより予め作成されるものであってよい。また配信情報は、例えば駐車場の管理システムなどにて作成されるものであってよい。
【００４６】
情報配信装置７の情報選別部７０ｂは、履歴情報記憶部７２ｂに記憶された履歴情報、及び、設定情報記憶部７２ｃに記憶された設定情報に基づいて、配信情報記憶部７２ａに記憶されている情報の中から、配信すべき情報を選別する処理を行う。情報配信装置７は、情報を配信した場合に、配信対象としたユーザのユーザＩＤと配信した情報とを対応付けて履歴情報として記憶している。情報選別部７０ｂは、例えば情報受信装置３から受信した情報に含まれるユーザＩＤに基づいて履歴情報を参照し、このユーザＩＤに対して以前に配信している情報を、今回の配信対象から除外することができる。
【００４７】
また本実施の形態において情報受信装置３は、配信を希望する情報の種別又は配信を拒否する情報の種別等の設定をユーザから受け付けて、情報配信装置７へ送信する。この設定を受信した情報配信装置７は、設定情報記憶部７２ｃにユーザＩＤと対応付けて設定情報を記憶する。情報選別部７０ｃは、ユーザＩＤに基づいて設定情報を参照し、ユーザ毎の設定に応じた情報の選別を行うことができる。情報配信の設定についての詳細は後述する。
【００４８】
情報配信装置７の配信処理部７０ａは、情報選別部７０ｂが配信情報記憶部７２ａから選別した情報を、無線通信部７１にて車両１の情報受信装置３へ送信する。このときの情報配信装置７は、ユーザＩＤなどを情報配信先と指定して情報送信を行うことにより、通信相手を特定して情報受信装置３へ情報を送信することができる。なお本実施の形態において、情報配信装置７及び情報受信装置３の間で行われる通信は多重化されており、情報配信装置７は複数の情報受信装置３との通信を並行して行うことができる。また情報配信装置７は、共通の情報を複数の情報受信装置３に対して配信してもよい。
【００４９】
情報配信装置７から配信された情報を受信した情報受信装置３の処理部３０は、受信した情報を記憶部３２の受信情報記憶部３２ｂに記憶する。また処理部３０の表示処理部３０ｄは、受信情報記憶部３２ｂに記憶された情報を適宜のタイミングで読み出して、この情報を表示する指示を車内通信部３３にてナビゲーション装置４１へ与えることにより、情報を表示する処理を行う。受信した情報を表示するタイミングは、例えば情報を受信する都度であってもよく、例えば車両１が停車した場合などであってもよく、また例えばユーザが表示を要求する操作を行った場合であってよく、その他のタイミングであってよい。
【００５０】
ナビゲーション装置４１は、情報受信装置３からの指示に応じて表示装置４２に情報を表示する。ナビゲーション装置４１は、表示装置４２に経路案内のための地図画像などを表示している際に情報受信装置３から情報表示の指示を与えられた場合、例えば地図画像を縮小して情報を表示する又は表示装置４２の画面を複数に分割して情報を表示するなど、経路案内の妨げとならないように情報を表示する。
【００５１】
このように、本実施の形態に係る情報配信システムでは、情報配信装置７からの無線信号の電波強度が増加したと判断した場合に、情報受信装置３が情報配信装置７へユーザＩＤなどの情報を送信し、情報配信装置７が配信する情報を受信するための処理を開始する。これにより、車両１が店舗５へ近づく場合に、店舗５から車両１へ情報が配信され、車両１のユーザに広告などの情報が伝えられる。なお情報配信装置７から配信される広告などの情報の情報受信装置３による受信は、電波強度の増加／減少等に関係なく行ってよい。
【００５２】
＜配信設定１＞
本実施の形態に係る情報配信システムでは、情報配信装置７から情報受信装置３へ配信されて表示装置４２に表示される情報の種別を、車両１のユーザが自らの好みなどに応じて設定することができる。情報配信装置７が配信する情報には、例えば食事、食糧、飲料、男性ファッション、女性ファッション、雑貨、スポーツ、旅行、家電、パソコン、書籍、音楽、玩具、医療、自動車、不動産…等の情報種別が付されている。情報受信装置３では、情報配信装置７が配信する情報に対して、情報種別を指定して受信又は表示を拒否することができる。
【００５３】
例えばナビゲーション装置４１の操作部にて所定の操作がなされ、情報受信に関する拒否設定を行う要求がナビゲーション装置４１から情報受信装置３へ与えられた場合、情報受信装置３の設定受付部３０ｃは、車内通信部３３にてナビゲーション装置４１へ所定の拒否設定受付画面の表示指示を与える。図示は省略するが、拒否設定受付画面においては、情報配信装置７が配信し得る情報種別の一覧が表示される。設定受付部３０ｃは、ナビゲーション装置４１の操作部に対する操作に基づいて、受信又は表示を拒否する情報種別の選択をユーザから受け付ける。設定受付部３０ｃは、受け付けた選択に基づいて、記憶部３２の設定情報記憶部３２ｃに、受信又は表示を拒否する情報種別を拒否設定として記憶する。
【００５４】
情報受信装置３の制限処理部３０ｂは、無線通信部３１にて情報配信装置７から配信された情報を受信した場合、受信情報のヘッダなどに含まれる情報種別と、設定情報記憶部３２ｃに拒否設定として記憶された情報種別とを比較する。受信した情報の情報種別が、拒否設定に含まれる情報種別である場合、制限処理部３０ｂは、この受信情報を受信情報記憶部３２に記憶せずに破棄する。又は、情報受信装置３の表示処理部３０ｄは、表示のために受信情報記憶部３２ｂから読み出した情報の情報種別が、拒否設定に含まれる情報種別である場合、この情報を表示しない構成としてもよい。
【００５５】
＜配信設定２＞
また本実施の形態においては、情報受信装置３から情報配信装置７に対して配信を要求する情報種別を通知することができ、情報配信装置７は要求された種別の情報を配信する。例えばナビゲーション装置４１の操作部にて所定の操作がなされ、配信要求する情報種別の選択を行う要求がナビゲーション装置４１から情報処理装置３へ与えられた場合、情報受信装置３の設定受付部３０ｃは、車内通信部３３にてナビゲーション装置４１へ所定の配信要求設定受付画面の表示指示を与える。図示は省略するが、配信要求設定受付画面においては、情報配信装置７が配信し得る情報種別の一覧が表示される。設定受付部３０ｃは、ナビゲーション装置４１の操作部に対する操作に基づいて、情報配信装置７に対して配信を要求する情報種別の選択をユーザから受け付ける。設定受付部３０ｃは、受け付けた選択に基づいて、記憶部３２の設定情報記憶部３２ｃに、配信を要求する情報種別を配信要求設定として記憶する。
【００５６】
情報受信装置３の処理部３０は、情報配信装置７からの無線信号の電波強度が増加していると判断し、ユーザＩＤなどを情報配信装置７へ送信する際に、設定情報記憶部３２ｃに記憶された配信要求設定を読み出してユーザＩＤなどと共に情報配信装置７へ送信する。これを受信した情報配信装置７の処理部７０は、ユーザＩＤと配信要求設定とを対応付けて記憶部７２の設定情報記憶部７２ｃに記憶する。情報配信装置７の情報選別部７０ｂは、設定情報記憶部７２ｃに記憶された配信要求設定に含まれる種別の情報を選別する。これにより情報配信装置７は、配信要求設定に設定された情報種別の情報を、情報受信装置３へ配信することができる。
【００５７】
このように、本実施の形態に係る情報配信システムでは、配信設定１又は２の機能を設けることによって、車両１においてユーザが不要な情報が表示装置４２に表示されることを防止できる。
【００５８】
＜連携機能＞
本実施の形態に係る情報配信システムでは、情報配信装置７から受信した情報に基づいて、情報受信装置３がナビゲーション装置４１又はスマートフォン４３に所定の動作を行わせることができる。例えば情報配信装置７が配信する情報には、店舗５の所在地を示す位置情報（例えば緯度及び経度等）を含めることができる。上述のように情報受信装置３の表示処理部３０ｄは、受信した情報の表示指示をナビゲーション装置４１へ与えることにより、表示装置４２に情報を表示する。店舗５の位置情報を含む情報を表示装置４２に表示した状態において、ナビゲーション装置４１は、この店舗５を経路案内の目的地又は経由地等とする所定の操作を受け付ける。所定の操作を受け付けたナビゲーション装置４１は、情報受信装置３から受信情報に含まれる店舗５の位置情報を取得し、取得した位置を目的地又は経由地等として経路を算出し、経路案内を行う。
【００５９】
また例えば情報配信装置７が配信する情報には、店舗５の電話番号情報を含めることができる。電話番号情報を含む情報を表示装置４２に表示した状態において、ナビゲーション装置４１は、この店舗５へ電話発信を行うための所定の操作を受け付ける。所定の操作を受け付けたナビゲーション装置４１は、情報受信装置３から受信情報に含まれる店舗５の電話番号情報を取得し、スマートフォン４３へこの電話番号に対する電話発信を行う指示を与える。スマートフォン４３は、ナビゲーション装置４１の指示に応じて、与えられた電話番号に対する電話発信を行うことができる。なお、配信情報に電子メールアドレス又はＵＲＬ等の情報を付しておき、スマートフォン４３にて店舗５への電子メールの送信又は店舗５のホームページへのアクセス等を行う構成としてもよい。
【００６０】
また例えば情報配信装置７が配信する情報には、検索用のキーワード（文字列）を含めることができる。キーワードを含む情報を表示装置４２に表示した状態において、ナビゲーション装置４１は、このキーワードに基づくインターネット検索を行うための所定の操作を受け付ける。所定の操作を受け付けたナビゲーション装置４１は、情報受信装置３から受信情報に含まれるキーワードを取得し、スマートフォン４３へこのキーワードを用いたインターネット検索を行う指示を与える。スマートフォン４３は、ナビゲーション装置４１の指示に応じてインターネットブラウザなどを起動し、与えられたキーワードを用いた検索を行って、検索結果を表示する。
【００６１】
このように、本実施の形態に係る情報配信システムでは、情報受信装置３とナビゲーション装置４１及びスマートフォン４３等とが連携し、情報配信装置７から受信した配信情報に含まれる情報に基づいて、店舗５への経路案内、電話発信又はインターネット検索等を行う。これにより車両１のユーザは、配信された情報を閲覧するのみでなく、配信された情報を有効に活用することが可能となるため、システムの利便性を向上することができる。また店舗５にとっては、商品又はサービス等をユーザに対して提供するチャンスを増すことができる。
【００６２】
＜情報保存機能＞
本実施の形態に係る情報配信システムでは、情報受信装置３は、情報配信装置７から受信した情報を記憶部３２の受信情報記憶部３２ｂに記憶して蓄積している。受信情報記憶部３２ｂに記憶された情報は、表示処理部３０ｄの表示処理により表示装置４２に表示された後であっても、削除されることなく保存されている。ユーザは、例えばナビゲーション装置４１の操作部にて所定の操作を行うことにより、受信情報記憶部３２ｂに記憶されている情報を表示装置４２に表示させることができる。ただし、受信情報記憶部３２ｂに記憶された情報は、受信から所定時間が経過した後に、処理部３０により自動的に削除される。また受信情報記憶部３２ｂに記憶された情報の件数が所定件数を超えた場合、又は、記憶された情報の容量が所定要領を超えた場合等に、受信日時が古いものから順に、処理部３０により自動的に削除される。
【００６３】
本実施の形態に係る情報受信装置３では、上記のような自動削除の対象外とする情報をユーザが設定することができる。ナビゲーション装置４１は、情報受信装置３の設定受付部３０ｃは、受信情報記憶部３２ｂに記憶されている情報を表示装置４２に表示している際に、所定の削除禁止操作を受け付けて情報受信装置３へ通知する。情報受信装置３の設定受付部３０ｃは、削除禁止操作がなされた旨の通知を受け付けた場合、この操作の対象となった情報について、自動削除の対象から除外する設定を行う。設定受付部３０ｃは、例えば受信情報記憶部３２ｂに記憶された情報に対して、削除禁止フラグを付与することにより、自動削除の対象から除外する設定を行うことができる。処理部３０は、受信から所定時間が経過した場合などであっても、削除禁止フラグが付与された情報を削除しない。
【００６４】
このように、本実施の形態に係る情報配信システムでは、情報配信装置７から配信された情報を情報受信装置３に保存しておき、ユーザが適宜のタイミングで記憶された情報を表示装置４２に表示して確認することができる。これにより、ユーザは自らにとって有益な情報を長期間に亘って保存しておくことができるため、情報配信システムの利便性を向上することができる。
【００６５】
＜フローチャート＞
図４及び図５は、情報受信装置３が行う情報受信処理の手順を示すフローチャートである。本実施の形態に係る情報配信システムでは、店舗５に設置された情報配信装置７は、周期的に店舗ＩＤなどを含む店舗確認情報を無線信号により送信している。本実施の形態に係る情報受信装置３の処理部３０は、無線通信部３１にて店舗５からの店舗確認情報を受信したか否かを判定する（ステップＳ１）。店舗確認情報を受信していない場合（Ｓ１：ＮＯ）、処理部３０は、店舗確認情報を受信するまで待機する。
【００６６】
店舗確認情報を受信した場合（Ｓ１：ＹＥＳ）、処理部３０は、受信した無線信号の電波強度を電波強度検出部３１ｂにて検出して（ステップＳ２）、検出結果を取得する。処理部３０の変化算出部３０ａは、電波強度の検出結果が時系列的に複数得られた場合に、前回の電波強度と今回の電波強度とを比較して、電波強度の変化を算出する（ステップＳ３）。算出した電波強度の変化に基づいて、処理部３０は、電波強度が増加したか否かを判定する（ステップＳ４）。電波強度が増加している場合（Ｓ４：ＹＥＳ）、処理部３０は、今回の電波強度が閾値を超えるか否かを判定する（ステップＳ５）。電波強度が増加していない場合（Ｓ４：ＮＯ）、又は、電波強度が閾値を超えない場合（Ｓ５：ＮＯ）、処理部３０はステップＳ１へ処理を戻す。
【００６７】
電波強度が閾値を超える場合（Ｓ５：ＹＥＳ）、処理部３０は、ユーザ情報記憶部３２ａから読み出したユーザＩＤ及び設定情報記憶部３２ｃから読み出した設定情報等を、無線通信部３１にて情報配信装置７へ送信する（ステップＳ６）。その後、処理部３０は、情報配信装置７から配信された情報を無線通信部３１にて受信したか否かを判定する（ステップＳ７）。情報を受信していない場合（Ｓ７：ＮＯ）、処理部３０は、情報を受信するまで待機する。
【００６８】
情報配信装置７からの情報を受信した場合（Ｓ７：ＹＥＳ）、処理部３０の制限処理部３０ｂは、受信した情報の種別と、設定情報記憶部３２ｃに記憶された拒否設定に含まれる種別とを比較し、受信情報の種別が拒否種別であるか否かを判定する（ステップＳ８）。受信情報が拒否種別でない場合（Ｓ８：ＮＯ）、処理部３０は、受信情報を受信情報記憶部３２ｂに記憶し（ステップＳ９）、表示処理部３０ｄが受信情報記憶部３２ｂに記憶された情報を読み出して表示指示と共にナビゲーション装置４１へ与えることにより、受信情報を表示し（ステップＳ１０）、処理を終了する。受信情報が拒否種別である場合（Ｓ８：ＹＥＳ）、制限処理部３０ｂは受信情報を破棄し（ステップＳ１１）、処理を終了する。
【００６９】
図６は、情報配信装置７が行う情報配信処理の手順を示すフローチャートである。なお本フローチャートにおいては、情報配信装置７が行う店舗確認情報の送信処理については、図示を省略してある。本実施の形態に係る情報配信装置７の処理部７０の配信処理部７０ａは、店舗確認情報に対する応答として情報受信装置３が送信したユーザＩＤ及び設定情報等の情報を無線通信部７１にて受信したか否かを判定する（ステップＳ２１）。ユーザＩＤ等の情報を受信していない場合（Ｓ２１：ＮＯ）、配信処理部７０ａは、情報受信装置３からの情報を受信するまで、店舗確認情報を周期的に送信しながら待機する。
【００７０】
情報受信装置３からユーザＩＤ等の情報を受信した場合（Ｓ２１：ＹＥＳ）、配信処理部７０ａは、受信情報に含まれる設定情報をユーザＩＤと対応付けて設定情報記憶部７２ｃに記憶する（ステップＳ２２）。処理部７０の情報選別部７０ｂは、受信情報に含まれるユーザＩＤに基づき、履歴情報記憶部７２ｂに記憶された履歴情報と、設定情報記憶部７２ｃに記憶された設定情報とを参照して、配信情報記憶部７２ａに記憶された情報から、このユーザに対して配信する情報を選別する（ステップＳ２３）。配信処理部７０ａは、情報選別部７０ｂが選別した情報を、無線通信部７１にて情報受信装置３へ送信し（ステップＳ２４）、送信した情報に応じて履歴情報記憶部７２ｂに記憶された履歴情報を更新して（ステップＳ２５）、処理を終了する。
【００７１】
図７は、ナビゲーション装置４１が行う処理の手順を示すフローチャートである。本実施の形態に係るナビゲーション装置４１は、車両１の車内ネットワークを介して情報受信装置３から情報表示の指示が与えられたか否かを判定する（ステップＳ３１）。情報表示の指示が与えられていない場合（Ｓ３１：ＮＯ）、ナビゲーション装置４１は、指示が与えられるまで待機する。情報表示の指示が与えられた場合（Ｓ３１：ＹＥＳ）、ナビゲーション装置４１は、指示と共に情報受信装置３から与えられた情報を、表示装置４２に表示する（ステップＳ３２）。
【００７２】
ナビゲーション装置４１は、情報受信装置３からの情報を表示した状態において、連携機能のための所定の操作が操作部などにて行われたか否かを判定する（ステップＳ３３）。所定の操作が行われていない場合（Ｓ３３：ＮＯ）、ナビゲーション装置４１は処理を終了する。所定の操作が行われた場合（Ｓ３３：ＹＥＳ）、ナビゲーション装置４１は、店舗５への経路案内、電話発信又はインターネット検索等の連携処理を行って（ステップＳ３４）、処理を終了する。
【００７３】
＜まとめ＞
以上の構成の本実施の形態に係る情報配信システムは、店舗５に設置された情報配信装置７と、車両１に搭載された情報受信装置３とが通信を行う。情報配信装置７は、周期的に店舗確認情報を無線信号として送信している。情報受信装置３は、無線通信部３１にて受信した店舗確認情報の無線信号の電波強度が増加した場合に、ユーザＩＤ等の情報を情報配信装置７へ送信することにより情報配信装置７が配信する情報の受信処理を開始する。情報配信装置から受信する無線信号の電波強度が増加する場合、情報受信装置３を搭載した車両１が情報配信装置７を設置した店舗５へ近づくように移動している可能性が高い。よって本情報配信システムでは、車両１が近づいている店舗５から情報を受信することができる。
【００７４】
また情報受信装置３は、情報配信装置７からの無線信号の電波強度が増加し、且つ、電波強度が閾値を超える場合に、情報配信装置７からの情報の受信を開始する。情報受信装置３が受信する無線信号の電波強度は、情報配信装置７から情報受信装置３までの距離に影響される。よって、受信した電波強度が閾値を超えることを条件に加えることによって、情報配信装置７が設置された店舗５から所定の距離範囲内に存在する車両１に対して情報を配信することができる。
【００７５】
また情報受信装置３は、設定受付部３０ｃが受信を拒否する情報種別の設定を受け付けて設定情報記憶部３２ｃに記憶しておき、この設定に応じて制限処理部３０ｂが情報配信装置７からの情報の受信を制限する。制限処理部３０ｂは、情報配信装置７から情報の種別が、拒否設定に含まれる情報種別である場合、この情報を破棄する。これにより、ユーザが不要な情報を情報受信装置３が受信して表示装置４２に表示することを防止できる。
【００７６】
また情報受信装置３は、設定受付部３０ｃにて配信を要求する情報種別の設定を受け付けて情報配信装置７へ送信する。情報配信装置７は、与えられた配信要求設定に応じた情報種別の情報を情報選別部７０ｂが選別し、選別した情報を配信処理部７０ａが情報受信装置３へ送信する。これにより情報配信装置７は、ユーザが配信を要求する情報のみを情報受信装置３へ配信することができる。
【００７７】
また情報配信装置７は、情報受信装置３へ配信した情報の履歴を履歴情報記憶部７２ｂに記憶しておき、情報選別部７０ｂがこの履歴情報に基づいて配信する情報を選別する。これにより情報配信装置７は、以前に配信した情報を再配信することを防止でき、同一の情報を同一の情報受信装置３へ複数回に亘って重複配信することを防止できる。
【００７８】
また情報受信装置３は、情報配信装置７からの情報を受信情報記憶部３２ｂに記憶しておく。ユーザは適宜のタイミングで受信情報記憶部３２ｂに記憶された情報を表示装置４２に表示して閲覧することができる。また情報受信装置３の処理部３０は、受信情報記憶部３２ｂに記憶した情報を、受信から所定時間経過後に削除する。ただし情報受信装置３は、記憶された所望の情報を自動削除の対象から除外する設定を設定受付部３０ｃが受け付け、この設定がなされた情報は所定時間が経過しても削除しない。これにより、ユーザが必要とする情報を長期間に亘って保存しておくことが可能となる。
【００７９】
また情報受信装置３は、ナビゲーション装置４１及びスマートフォン４３等と連携した処理を行うことができる。例えば情報受信装置３は、情報配信装置７からの受信情報に含まれる位置情報をナビゲーション装置４１へ与えることにより、情報配信装置７が設置された店舗５への経路案内をナビゲーション装置４１にて行うことができる。また例えば情報受信装置３は、受信情報に含まれる電話番号情報をナビゲーション装置４１へ与えることにより、ナビゲーション装置４１を介してスマートフォン４３による電話発信を行うことができる。また例えば情報受信装置３は、受信情報に含まれる店舗５の名称又は商品の名称等のテキスト情報に基づくインターネット検索を、ナビゲーション装置４１を介してスマートフォン４３にて行うことができる。これらの連携機能を備えることにより、情報配信システムの利便性を更に向上することができる。
【００８０】
なお本実施の形態においては、情報受信装置３の変化算出部３０ａが前回の電波強度及び今回の電波強度を比較して電波強度の変化を算出する構成としたが、これに限るものではない。例えば電波強度検出部３１ｂが１秒に１回の頻度で電波強度を検出する構成である場合、変化算出部３０ａは、必ずしも最新の検出結果と１秒前の検出結果とに基づいて変化を算出する必要はない。変化算出部３０ａは、例えば最新の検出結果と１０秒前の検出結果とに基づいて変化を算出するなど、必ずしも連続した検出結果を用いて変化を算出しなくてもよい。また例えば変化算出部３０ａは、車両１の車速又は加速度等に応じて、変化の算出に用いる検出結果間の時間を調整してもよい。また電波強度検出部３１ｂは連続的に電波強度の検出を行い、変化算出部３０ａは連続的な電波強度の変化に対する微分演算を行うことで変化を算出してもよい。
【００８１】
また情報受信装置３は、検出した電波強度が閾値を超えることを条件として受信処理を開始する構成としたが、これに限るものではない。情報受信装置３は、電波強度と閾値との比較を行わず、電波強度が増加したことのみを条件として受信処理を開始する構成としてもよい。また情報受信装置３が受信した情報を表示装置４２に表示する構成としたが、これに限るものではなく、受信した情報をスピーカなどから音声出力するなど、表示以外の態様でユーザへの情報提供を行う構成としてもよい。また情報配信に関して配信拒否設定及び配信要求設定の２種の設定を行うことができる構成としたが、いずれか一方の設定のみを行うことができる構成としてもよい。更には、いずれの設定も行うことができないシステムであってもよい。
【００８２】
（変形例１）
変形例１に係る情報配信システムでは、初めに情報配信装置７が無線信号として送信する店舗確認情報に、この店舗５からの配信情報の種別を示す情報を含む。情報配信装置７から店舗確認情報を受信した情報受信装置３は、店舗確認情報から種別情報を抽出し、設定情報記憶部３２ｃに記憶した拒否設定に含まれる情報種別と比較する。情報配信装置７が配信する情報の種別が拒否設定に含まれるものである場合、情報受信装置３は、無線信号の電波強度が増加した場合であっても、この情報配信装置７が配信する情報の受信処理を行わない。即ち、情報受信装置３は、店舗確認情報に応じてユーザＩＤ等の情報を送信する処理を行わない。このような構成とすることにより、変形例１に係る情報配信システムでは、情報配信装置７及び情報受信装置３の間の通信量を低減することができる。
【００８３】
（変形例２）
変形例２に係る情報配信システムでは、情報配信装置７は情報送信のみを行い、情報受信装置３は情報受信のみを行う。情報受信装置３から情報配信装置７への情報送信は行わない。情報配信装置７は、店舗確認情報ではなく、配信すべき情報を所定の周期で繰り返し送信し続ける。情報受信装置３は、受信した無線信号の電波強度が増加した場合に、受信した情報を受信情報記憶部３２ｂに記憶すると共に、表示装置４２に表示する。このような構成とすることにより、情報配信装置７及び情報受信装置３の構成を簡略化することができ、システムの低コスト化を実現できる。
【００８４】
（実施の形態２）
上述の実施の形態１においては、情報受信装置３を車両１に搭載する構成としたが、これに限るものではない。実施の形態２に係る情報配信システムでは、スマートフォン４３が情報受信装置３の機能を備える構成である。図８は、実施の形態２に係るスマートフォン２０３の構成を示すブロック図である。なお実施の形態２に係る情報配信システムの情報配信装置７の構成は、実施の形態に係る情報配信装置７と同じであるため、図示及び説明を省略する。実施の形態２に係るスマートフォン２０３は、情報配信システムとして実施の形態１に係る情報受信装置３と同様の処理を行うことができる処理部３０、無線通信部３１及び記憶部３２を備えている。またスマートフォン２０３は、操作部２３３、表示部２３４、マイク２３５及びスピーカ２３６を備えている。
【００８５】
操作部２３３は、プッシュボタン又はタッチパネルによりユーザの操作受付を行って処理部３０に通知する。表示部２３４は、液晶パネルなどを用いて構成され、処理部３０の指示に応じて種々の画像表示を行う。マイク２３５は、例えば通話の際にユーザの声などの入力を受け付ける。スピーカ２３６は、例えば通話の際に通話相手の声などを出力する。
【００８６】
実施の形態２に係るスマートフォン２０３の処理部３０は、無線通信部３１にて受信した情報配信装置７からの無線信号の電波強度が増加した場合に、ユーザ情報記憶部３２ａに記憶したユーザＩＤ及び設定情報記憶部３２ｃに記憶した設定情報等を情報配信装置７へ送信することで、情報配信装置７から配信される情報の受信処理を開始する。スマートフォン２０３は、情報配信装置７から配信された情報を受信した場合、受信した情報を受信情報記憶部３２ｂに記憶すると共に、表示処理部３０ｄが表示部２３４への情報表示を行う。
【００８７】
またスマートフォン２０３の設定受付部３０ｃは、受信を拒否する情報種別に関する設定又は配信を要求する情報種別に関する設定等の受付を行い、受け付けた設定を設定情報記憶部３２ｃに記憶する。設定受付部３０ｃは、例えば設定画面を表示部２３４に表示すると共に、操作部２３３にてユーザの設定操作を受け付ける。制限処理部３０ｂは、設定情報記憶部３２ｃに記憶された拒否設定に含まれる種別の情報を受信した場合、この情報を破棄する。
【００８８】
なお、スマートフォン２０３の処理部３０、無線通信部３１及び記憶部３２による処理の内容は、実施の形態１に係る情報受信装置３のものと同様であるため、詳細な説明を省略する。
【００８９】
以上の構成の実施の形態２に係る情報配信システムは、例えば徒歩で店舗５に接近するユーザが所持するスマートフォン２０３、又は、店舗５に接近する車両１を運転するユーザが所持するスマートフォン２０３等に、店舗５に設置された情報配信装置７が情報を配信することができる。なお実施の形態２においては、スマートフォン２０３に情報受信装置３の機能を備える構成としたが、これに限るものではなく、例えば携帯電話機、携帯型ゲーム機、タブレット型端末装置、携帯型ナビゲーション装置、ノートパソコン又は携帯型音楽再生装置等の種々の可搬型の情報処理装置に情報受信装置３の機能を備える構成とすることができる。
【符号の説明】
【００９０】
１  車両（移動体）
３  情報受信装置
５  店舗
７  情報配信装置
３０  処理部
３０ａ  変化算出部
３０ｂ  制限処理部
３０ｃ  設定受付部
３０ｄ  表示処理部
３１  無線通信部
３１ａ  アンテナ
３１ｂ  電波強度検出部
３２  記憶部
３２ａ  ユーザ情報記憶部
３２ｂ  受信情報記憶部
３２ｃ  設定情報記憶部
４１  ナビゲーション装置
４２  表示装置
４３  スマートフォン
７０  処理部
７０ａ  配信処理部
７０ｂ  情報選別部
７１  無線通信部
７１ａ  アンテナ
７２  記憶部
７２ａ  配信情報記憶部
７２ｂ  履歴情報記憶部
７２ｃ  設定情報記憶部
２０３  スマートフォン
２３３  操作部
２３４  表示部
２３５  マイク
２３６  スピーカ
【図１】
2016025448.tif 000003
【図２】
2016025448.tif 000004
【図３】
2016025448.tif 000005
【図４】
2016025448.tif 000006
【図５】
2016025448.tif 000007
【図６】
2016025448.tif 000008
【図７】
2016025448.tif 000009
【図８】
2016025448.tif 000010